(57)【要約】【課題】堆積灰の飛散を防止しつつ、埋め立てを効率的に行えること。【解決手段】使用済みの石炭の堆積灰１０２が堆積し、堆積灰１０２上に滞水１０２ｂが張られた状態の埋立地１００の仕切り方法であって、中空で可撓性を有する所定長の中空なホース１５０を、埋立地１００を仕切ったエリアＡの境界部分に沿って設置し、ホース１５０の内部に水を充填させて膨張させ、エリアＡ内の滞水１０２ｂをエリアＡの外部に排水することで、エリアＡ単位で土地を造成し、堆積灰１０２の飛散を防ぐ。【選択図】図１
2020105743.tif 000002
【特許請求の範囲】
【請求項１】
使用済みの石炭の堆積灰が堆積し、前記堆積灰上に滞水が張られた状態の埋立地の仕切り方法であって、
中空で可撓性を有する所定長の中空弾性体を、前記埋立地を仕切ったエリアの境界部分に沿って設置し、
前記中空弾性体の内部に媒体を充填させて膨張させ、
前記エリア内の前記滞水を前記エリアの外部に排水する、
工程を含むことを特徴とする埋立地の仕切り方法。
【請求項２】
前記排水する工程の後、前記エリアに土砂を覆土して埋め立てることを特徴とする請求項１に記載の埋立地の仕切り方法。
【請求項３】
前記排水する工程の後、前記中空弾性体の内部の媒体を排出させて前記中空弾性体を収縮させ、
前記中空弾性体を移動させて次に仕切るエリアの境界部分に沿って設置し、
前記中空弾性体の内部に媒体を充填させて膨張させ、
前記エリア内の前記滞水を前記エリアの外部に排水する、
工程を繰り返すことを特徴とする請求項１または２に記載の埋立地の仕切り方法。
【請求項４】
前記中空弾性体は、ホースであることを特徴とする請求項１〜３のいずれか一つに記載の埋立地の仕切り方法。
【請求項５】
前記媒体は、水、前記滞水、あるいは気体であることを特徴とする請求項１〜４のいずれか一つに記載の埋立地の仕切り方法。
【請求項６】
前記排水する工程の後、前記エリアに柔軟性を有する樹脂製の縁切りシートを敷設し、
前記縁切りシートの上に土砂を覆土して一時利用の土地を作る、
工程を含むことを特徴とする請求項１に記載の埋立地の仕切り方法。
【発明の詳細な説明】
【技術分野】
【０００１】
この発明は、石炭灰等の堆積灰からなる埋立地の仕切り方法に関する。
【背景技術】
【０００２】
護岸を埋め立てた広大な埋立地は、例えば、１０万平方メートル等の広大な面積を有している。この埋立地の堆積として、石炭発電所の発電時に集塵された産業廃棄物である石炭灰が利用されている。この石炭灰が堆積した堆積灰は、乾燥すると飛散するため、散水や滞水により堆積灰の湿潤状態を保つことで粉じんの飛散を防いでいる。
【０００３】
滞水の深さは、石炭灰の地盤面に凹凸（不陸）があるため、概ね５ｃｍ〜２０ｃｍ程度である。このような埋立地を土地利用するためには、堆積させた石炭灰部分の滞水を干上がらせ、表面に土砂を覆土させる必要がある。
【０００４】
埋め立てに関連する従来技術としては、例えば、乾燥石炭灰層を掘削および積み上げて仮堤防を設置することで、仮堤防を設置した区画毎に埋め立ての土地を造成する技術が開示されている（例えば、下記特許文献１参照。）。また、水を給・排することで起立・倒伏する可撓性膜堰を防潮堰として利用する技術が開示されている（例えば、下記特許文献２参照。）。
【先行技術文献】
【特許文献】
【０００５】
【特許文献１】特開２０１７−１５４１２７号公報
【特許文献２】特開昭６１−２５７５２０号公報
【発明の概要】
【発明が解決しようとする課題】
【０００６】
しかしながら、従来技術では、堆積灰の飛散を防止しつつ、埋め立てを効率的に行うことができなかった。例えば、特許文献１に記載された技術では、重機等で仮堤防を設置する必要があり、仮堤防の設置に手間とコストがかかる。また石炭灰を乾燥させることなく土地を造成しており、土砂と石炭灰が混じって両者を縁切りすることができない。石炭灰が混じった土砂は再利用できない産業廃棄物となってしまう。
【０００７】
また、特許文献２に記載された技術では、可撓性膜堰は、コンクリート躯体にアンカーボルトで固定されるため、埋立区画の移動に伴って可撓性膜堰を簡単に移動させることができず、可撓性膜堰を任意の場所に容易に設置および移動させることができない。
【０００８】
本発明は、上記課題に鑑み、堆積灰の飛散を防止しつつ、埋め立てを効率的に行えることを目的とする。
【課題を解決するための手段】
【０００９】
上記目的を達成するため、本発明の埋立地の仕切り方法は、使用済みの石炭の堆積灰が堆積し、前記堆積灰上に滞水が張られた状態の埋立地の仕切り方法であって、中空で可撓性を有する所定長の中空弾性体を、前記埋立地を仕切ったエリアの境界部分に沿って設置し、前記中空弾性体の内部に媒体を充填させて膨張させ、前記エリア内の前記滞水を前記エリアの外部に排水する、工程を含むことを特徴とする。
【００１０】
また、前記排水する工程の後、前記エリアに土砂を覆土して埋め立てることを特徴とする。
【００１１】
また、前記排水する工程の後、前記中空弾性体の内部の媒体を排出させて前記中空弾性体を収縮させ、前記中空弾性体を移動させ、次に仕切るエリアの境界部分に沿って設置し、前記中空弾性体の内部に媒体を充填させて膨張させ、前記エリア内の前記滞水を前記エリアの外部に排水する、工程を繰り返すことを特徴とする。
【００１２】
また、前記中空弾性体は、ホースであることを特徴とする。
【００１３】
また、前記媒体は、水、前記滞水、あるいは気体であることを特徴とする。
【００１４】
また、前記排水する工程の後、前記エリアに柔軟性を有する樹脂製の縁切りシートを敷設し、前記縁切りシートの上に土砂を覆土して一時利用の土地を作る、工程を含むことを特徴とする。
【００１５】
上記構成によれば、埋立地を仕切ったエリアの境界部分に沿ってホース等の中空弾性体を設置し、中空弾性体の内部に媒体を充填させて膨張させ、エリア内の滞水をエリアの外部に排水する工程を実施することで、埋立地をエリア毎に仕切りながらエリア毎の土地を効率的に造成できるようになる。また、仕切ったエリア毎に滞水を排水するため、排水後のエリアは埋立地全体のうち一部のエリアのみとなるため、堆積灰が粉じんとして飛散することを抑えることができるようになる。
【発明の効果】
【００１６】
本発明によれば、堆積灰の飛散を防止しつつ、埋め立てを効率的に行えるという効果を奏する。
【図面の簡単な説明】
【００１７】
【図１】図１は、実施の形態にかかる埋立地の堆積灰の仕切り方法を説明する図である。
【図２Ａ】図２Ａは、実施の形態にかかる埋立地をエリア別に仕切って一時利用する手順を説明する図である。（その１）
【図２Ｂ】図２Ｂは、実施の形態にかかる埋立地のエリア別に仕切って一時利用する手順を説明する図である。（その２）
【図３】図３は、実施の形態にかかる滞水したエリアの地盤改良を説明する図である。
【図４】図４は、実施の形態にかかる滞水エリアの粉じん防止を説明する図である。
【図５】図５は、実施の形態にかかる埋立地の埋め立ての手順を示すフローチャートである。
【図６】図６は、実施の形態にかかる埋立地の粉じん防止の手順を示すフローチャートである。
【発明を実施するための形態】
【００１８】
（実施の形態）
以下に添付図面を参照して、この発明にかかる好適な実施の形態を詳細に説明する。実施の形態では、石炭発電所で使用済みの石炭灰の灰処分場として利用されているエリアの一部または全部を他の用途、例えば、資材置き場等の土地として一時利用するための埋め立てについて説明する。
【００１９】
「１．埋立地の堆積灰の仕切り方法」
図１は、実施の形態にかかる埋立地の堆積灰の仕切り方法を説明する図である。図１（ａ）は、埋立地を示す断面図であり、例えば、海岸の埋立地１００を示し、この埋立地１００は、護岸の堤防１１０と、内陸の築堤１１１により所定の広さ（エリア）を有している。
【００２０】
この埋立地１００は、配管１０１を介して石炭灰を水で溶いたスラリー灰１０２ａが投入された灰処分場として利用されている。スラリー灰１０２ａは、埋立地１００のエリア全域に堆積灰（軟弱地盤）１０２として堆積する。また、スラリー灰１０２ａの水分は、堆積灰１０２の上部に所定深さ（５〜２０ｃｍの範囲の例えば１０ｃｍ）を有する滞水１０２ｂとなる。滞水１０２ｂは、堆積灰１０２の粉じんの飛散を防止する。なお、埋立地１００に対する注水を別途行い、滞水１０２ｂの排水を行うことで、滞水１０２ｂが所定の深さを維持するようにしてもよい。
【００２１】
図１（ｂ）は、埋立地を示す上面図であり、図１（ａ）の断面図に対応している。埋立地１００は、堤防１１０および築堤１１１で囲まれたエリアである。配管１０１は、例えば、フロートにより滞水１０２ｂ上に浮く構造であり、投入部分が埋立地１００の方向に移動自在であり、石炭発電所で使用済みの石炭（微粉炭）がスラリー状とされたものを埋立地１００に供給する。
【００２２】
ここで、矢印で示す方向Ｘに埋め立てを進めていく。この方向Ｘは、例えば、滞水１０２ｂの浅い場所から深い場所へ向かう方向である。そして、埋め立ては、埋立地１００を複数のエリアＡ〜Ｆに仕切り、各エリアＡ〜Ｆの順に土砂で埋め立てていき、埋め立てたエリアを一時利用できるようになる。一時利用は、例えば、埋立地１００に隣接して工場等を建設する際の一時的な資材置き場としての利用である。一時利用した埋め立て部分は、一時利用のために用いた土砂を取り除くことで再度、灰処分場として利用することができる。
【００２３】
図２Ａ，図２Ｂは、実施の形態にかかる埋立地をエリア別に仕切って一時利用する手順を説明する図である。実施の形態では、複数のエリアＡ〜Ｆを所定長の中空弾性体で仕切る。
【００２４】
図２Ａ（ａ）には、図１（ｂ）で示したエリアＡを仕切る中空弾性体としてホース１５０を設置した状態を示す。例えば、エリアＡを仕切るために、ホース１５０の両端は、図１（ｂ）に示す堤防１１０に接して設ける。ホース１５０は、内部が中空で可撓性を有するゴム等の弾性体材質からなる。このホース１５０は、内部に水等を充填することで体積（断面積）が増加し（膨張）、内部の水を抜くことで、体積が減少（収縮）する。ホース１５０に充填する媒体は、ポンプを用いた水や、滞水１０２ｂとするほか、空気等の気体であってもよい。
【００２５】
エリアＡを仕切る際、ホース１５０内部に水は充填せず、図２Ａ（ａ）に示すように、収縮した状態のホース１５０をエリアＡ部分に設置する。このホース１５０は、図１（ｂ）に示したエリアＡの境界部分（エリアＢ，Ｃと接する部分）に沿って、例えば、足場を組み立てて、足場上で作業員が手作業で設置することができる。ここで、設置時のホース１５０は、内部に水を充填しておらず軽量であるため、手作業で容易に設置できるものであり、例えば、従来のように、重機等を用いて堆積灰１０２を掻き揚げて築堤する作業に比べてはるかに容易かつ低コストに作業できる。
【００２６】
また、ホース１５０は、エリアＡの境界部分の長さに応じたものを１本設置するに限らず、複数の異なる長さのホース１５０を接続して設置してもよい。これにより、任意の長さのホース１５０を容易に設置できる。
【００２７】
次に、図２Ａ（ｂ）に示すように、エリアＡ用に設置したホース１５０の内部に、例えば、水を充填させてホース１５０を膨張させる。ホース１５０は、設置位置において滞水１０２ｂの深さ（例えば１０ｃｍ）を超える直径で膨張するものを用いる。これにより、ホース１５０により、エリアＡを隣接するエリアＢ，Ｃと仕切ることができる。
【００２８】
ホース１５０に充填させる水は、例えば、ホース１５０の一端に設けたポンプを用いてホース１５０の他端に向けて充填させる。このほか、ホース１５０の長さ方向の複数箇所に開閉自在な弁を設け、複数の弁部分から水や滞水１０２ｂ等をポンプで充填させるほかに、開放された弁部分から滞水１０２ｂを自然注入させることとしてもよい。
【００２９】
この後、エリアＡ内に水中ポンプ２０５を設置し、エリアＡ部分に溜まっている滞水１０２ｂをエリアＡの外（例えばエリアＢ，Ｃ）に排水する。これにより、エリアＡは、滞水１０２ｂがなくなり、堆積灰１０２が表出する。なお、堆積灰１０２は、表面から乾き始める。エリアＡを土地利用するためには、先ず、堆積灰１０２を干上がらせる必要がある。
【００３０】
ここで、図２Ａ（ｃ）に示すように、ホース１５０は、エリアＡの外側（エリアＢ，Ｃ）からの滞水１０２ｂによる側圧を受ける。この側圧、あるいは充填する媒体が空気等の気体の場合にホース１５０自身の浮力等でホース１５０の位置が移動する場合には、ホース１５０を杭、バンド、ピンなどの固定具２０７を用いて堆積灰１０２部分に固定すればよい。図２Ａ（ｃ）には、ホース１５０が受ける側圧の側と反対側に杭の固定具２０７を設置した例を示す。
【００３１】
次に、図２Ｂ（ｄ）に示すように、エリアＡには、堆積灰１０２の全域に、縁切りシート２１０を敷設する。縁切りシート２１０は、柔軟性を有する樹脂等の材質からなる。また、表面は、所定の細かさを有するメッシュ状のものであり、例えば、汎用の土木シートを用いることができる。この縁切りシート２１０は、堆積灰１０２の上に投入される土砂（覆土）２２０との間に位置することで、土砂２２０に堆積灰１０２が混じることを防ぐ。すなわち、縁切りシート２１０は、土砂２２０に堆積灰１０２が混じらない程度の所定のメッシュ（細かさの単位）を有する。
【００３２】
エリアＡを含め、各エリアＡ〜Ｆの広さ（面積）は、この縁切りシート２１０を敷設する面積に対応させる。例えば、エリアＡとして仕切った後に表出した堆積灰１０２が乾き、堆積灰１０２が飛散するまでの期間内で縁切りシート２１０を敷設可能な面積をエリアＡとして設定する。これにより、広い埋立地１００を各エリアＡ〜Ｆ単位で堆積灰１０２を表出させることができ、堆積灰１０２の飛散を防ぐことができる。
【００３３】
次に、図２Ｂ（ｅ）に示すように、エリアＡで敷設された縁切りシート２１０上に所定高さ（深さ）で土砂２２０を堆積させる。例えば、ブルドーザ等の重機２３０を用いて土砂２２０を敷均す。
【００３４】
このように、縁切りシート２１０を敷設することで、土砂２２０は、堆積灰１０２に直接触れることがない。この際、縁切りシート２１０は、堆積灰１０２と土砂２２０との間に挟まれる形で位置し、軟弱な堆積灰１０２の変形や、土砂２２０側からの圧力が生じても、これらに対応して柔軟に変形するため、土砂２２０が堆積灰１０２に触れることを防ぐ。
【００３５】
これにより、図２Ｂ（ｅ）に示すように、エリアＡを一時利用するための土地造成を行うことができる。また、他のエリアＢ〜Ｆについても上記手順を繰り返すことで、エリアＡ同様に土地造成することができる。この際、エリアＡの仕切りに用いたホース１５０は水を抜いた後に、次に土地造成するエリアＢ部分に移動させればよい。図２Ｂ（ｅ）には、次に土地造成するエリアＢにホース１５０を設置して、エリアＢの滞水１０２ｂを引いた状態を示している。
【００３６】
そして、エリアＡ〜Ｆを順に土地造成することで、最終的には埋立地１００全体を一時利用のために土地造成することができる。埋立地１００のうち土地造成するエリアＡ〜Ｆの広さは、この埋立地１００に隣接して工場や発電所を建設する際に一次的に利用する資材置き場に必要な広さの範囲（エリア）で設ければよい。例えば、実施の形態によれば、資材置き場として必要な範囲に対応する、一つあるいは複数のエリアＡ〜Ｆを設定し、この複数のエリアＡ〜Ｆについて、上記の手順を順次実施することで、ホース１５０を用いて簡単にエリア分けして一時利用の土地造成が行える。
【００３７】
また、各エリアＡ〜Ｆの堆積灰１０２上に縁切りシート２１０を敷設することで、土砂２２０が堆積灰１０２に触れることがない。土砂２２０に堆積灰１０２が混じらないため、土砂２２０が産業廃棄物にならず、土砂２２０を再利用することもできる。土砂２２０を重機２３０で取り出す際、縁切りシート２１０が位置する深さの部分までの土砂２２０を取り出せばよい。
【００３８】
この際、縁切りシート２１０は柔軟性を有するため、破れず堆積灰１０２が混じらずに土砂２２０のみを容易に取り出すことができる。この点、従来は、土砂２２０に堆積灰１０２が混じるため、土砂２２０を持ち出すことができず、灰処分場としての容量が減少したが、実施の形態によれば、灰処分場の容量が損なわれない利点を有する。
【００３９】
土砂２２０を取り除くことで、再度、縁切りシート２１０が表出する。さらには、縁切りシート２１０を取り除けば、堆積灰１０２が表出した状態に容易に戻すことができる。例えば、エリアＡを資材置き場として一時利用した後、土砂２２０と縁切りシート２１０を取り除くことで、このエリアＡを図１（ａ）に示した堆積灰１０２上を滞水１０２ｂで満たした当初の状態に戻すこともできる。これにより、エリアＡを再度、灰処分場として利用して堆積灰１０２を受け入れることができるようになる。そして、エリアＡ〜Ｆをエリア単位で当初の状態に戻すことができる。
【００４０】
以上の説明では、埋立地１００をエリアＡ〜Ｆ単位で仕切り、縁切りシート２１０を敷設した状態で一時利用することについて説明したが、埋立地１００を最終埋め立てすることもできる。最終埋め立てでは、土砂２２０および縁切りシート２１０を取り除いた後、堆積灰１０２上に所定高さの土砂２２０を堆積させる。この最終埋め立てを行った埋立地１００は、限定された用途、例えば、重量の少ないプレハブ等の低層建物や駐車場等として利用することができる。
【００４１】
上述したように、堆積灰１０２上に土砂２２０を盛って一時利用する際には、土砂２２０と堆積灰１０２とを縁切りする縁切りシート２１０を敷設して、土砂２２０を受け入れるようにした。そして、実施の形態では、ホース１５０によりエリアを仕切り、エリア単位で段階的に水を抜き、干上がった部分に縁切りシート２１０を敷設している。これにより、埋立地１００全体を仕切った小さなエリアの単位で堆積灰１０２である石炭灰の粉じんの発生を防止しながら、土地造成できるようになる。
【００４２】
また、実施の形態では、エリア単位で段階的に滞水１０２ｂを抜き取るため、エリアの境界にホース１５０を設置するようにした。ホース１５０は、軽量であり手作業で移動できるため、従来のように重機で築堤を施工するのに対して、簡単に設置できる。さらには、土地造成後に新たなエリアを仕切る際に、ホース１５０を移動して用いることができるため、従来の築堤の取り壊しおよび撤去の作業に対して効率的に土地造成の作業を遂行できるようになる。
【００４３】
ところで、図１（ｂ）に示した例では、各エリアＡ〜Ｆの境界を円弧状に設定したが、これに限らない。例えば、埋立地１００全体のエリアの形状に応じた形状の境界を設定すればよく、各エリアＡ〜Ｆをそれぞれ四角のマス状に設定し、埋立地１００の全体を格子状のエリアに仕切る設定としてもよい。さらには、円弧状と格子状とを組み合わせてもよい。ホース１５０で各エリアＡ〜Ｆを仕切る場合、各エリアの角部分のホース１５０を所定半径Ｒを有して曲げることになる。このほか、各エリアの直線部分にそれぞれ直線状にホース１５０を設置し、角部分に別途ジョイントを設置してジョイントの両端にそれぞれホース１５０の端部を接続してもよい。
【００４４】
「２．滞水したエリアでの地盤改良方法」
次に、滞水したエリアでの地盤改良方法について説明する。一般的に、滞水したエリアにはセメント固化材を混合して地盤改良を行っている。しかしながら、投入した固化材を滞水中に撹拌する際にエリア外に流出してしまい、所定の固化材量が対象のエリアに留まらない場合が生じた。この際、滞水の水位が深い場合には、撹拌機の貫入深度が確認しづらく管理が困難であった。実施の形態では、例えば、上述した説明において、滞水１０２ｂにより滞水したエリアＡの地盤改良を簡単に行える方法を提供する。
【００４５】
図３は、実施の形態にかかる滞水したエリアの地盤改良を説明する図である。対象となる滞水したエリアとは、例えば、図１（ａ）に示す堆積灰１０２上に滞水１０２ｂが張ってあるエリア、あるいは図２Ａ（ｂ）に示すエリアＡを仕切った後の他のエリア（エリアＢ）等で堆積灰１０２上に滞水１０２ｂが張られているエリアである。
【００４６】
滞水したエリアには、所定の大きさの仕切り枠３００を設置する。仕切り枠３００は、例えば４枚の鋼製の板３００ａ〜３００ｄを枠状に組み立てたものを用いることができる。この組み立て時、例えば、各板３００ａ〜３００ｄの隅をボルトやヒンジで固定したり、他の固定用枠材を嵌め込んで組み立てる。この仕切り枠３００を滞水したエリア内の所望箇所に設置する。設置時、仕切り枠３００の下端を堆積灰１０２に所定深さ喰い込ませる。
【００４７】
この後、仕切り枠３００の内部に地盤改良用の固化材（不図示）を手作業、あるいは重機２３０等を用いて投入する。仕切り枠３００は、予め定められた大きさ（面積）の仕切りを有しており、固化材はこの仕切られた面積に対応する所定量を投入すればよい。この後、攪拌機３３０ａを備えた重機２３０により、仕切り枠３００内の滞水１０２ｂを攪拌する。
【００４８】
この際、仕切り枠３００内に投入された固化材は、投入後、攪拌時においても仕切り枠３００により外部へ流出することがない。また、予め定めた仕切り枠３００の大きさの範囲に対応した所定量を混合することで、所望する混合量を得ることができ、固化材が仕切り枠３００で規定した地盤改良の範囲から外部に流出することを防ぐことができる。また、仕切り枠３００で規定した地盤改良の範囲に対応した適量の固化材を投入することができ、固化材の投入量の管理を容易に行える。
【００４９】
この後、仕切り枠３００内の貯留水（滞水１０２ｂ相当）をポンプ等で排水し、ドライアップさせる。これにより、固化材により仕切り枠３００で仕切った対象範囲内の地盤改良を行うことができる。また、このドライアップにより、作業員は攪拌機３３０ａの貫入深度を確認しやすくなる。
【００５０】
次に、仕切り枠３００を設置した状態のままで、仕切り枠３００のエリア内に所定量の粉じん防止剤（後述する図４と同等）を散布する。粉じん防止剤は、貯留水の排水後、表出する地盤改良後の堆積灰１０２が乾燥し飛散することを防止する。この粉じん防止剤についても、仕切り枠３００の大きさに対応して必要な散布量を得ることができ、粉じん防止剤の投入量の管理を容易に行える。
【００５１】
ところで、地盤改良を行ったエリアに設置した仕切り枠３００を分解後に移動させ、上記同様の作業を繰り返すことで、仕切り枠３００で規定した広さの単位で複数のエリアの地盤改良を行うことができる。この移動時、例えば、隣接するエリアの地盤改良を行う場合には、隣接するエリアに位置している１枚の板３００ｂを移動させずに、他の３枚の板３００ａ，３００ｃ，３００ｄを移動させて仕切り枠３００を再度組み立ててもよく、仕切り枠３００の移動にかかる手間を容易化できる。
【００５２】
このように、実施の形態によれば、地盤改良を行った仕切り枠３００で仕切ったエリア内の貯留水を排水できるようになる。すなわち、従来では仕切り枠３００の設置位置に対応する位置に重機等で築堤を行ってエリアを仕切っていたため、築堤の設置に手間がかかったが、実施の形態によれば、組み立ておよび分解可能な仕切り枠３００を用いることで地盤改良を行うエリアをより簡単に仕切ることができる。また、仕切り枠３００で仕切った面積に対応して固化材を適量で投入できるようになる。
【００５３】
また、地盤改良のために設置した仕切り枠３００は、固化材を投入し、貯留水を排水し終えるまでの間、設置状態のまま残しておく。これにより、地盤改良のために従来、築堤していた作業を不要にできる。また、粉じん防止剤についても仕切り枠３００で仕切った面積に対応した適量を散布できるようになる。
【００５４】
また、上述した仕切り枠３００を用いた地盤改良は、埋立地１００の任意の位置に仕切り枠３００を設置することで、この設置位置の地盤を改良することができる。この場合、例えば、上述したように、埋立地１００をホース１５０でエリアＡを仕切り、この仕切ったエリアＡ内において、仕切り枠３００を設置することとしてもよい。さらには、従来の築堤により仕切ったエリア内に仕切り枠３００を設置した場合でも、同様に地盤改良が行える効果を有する。
【００５５】
また、上述した説明では、仕切り枠３００を平面四角状のものを用いることとしたが、地盤改良が必要なエリアの形状に応じた各種形状、例えば、円形や楕円形、多角形状としてもよい。仕切り枠３００を角を有する形状とすれば、地盤改良を複数のエリアで順次行う際、隣接するエリアで重なる部分を省くことができ、効率的に地盤改良の作業を遂行できるようになる。
【００５６】
「３．エリア毎の縁切りシート敷設前の粉じん発生の防止方法」
例えば、埋立地の滞水の排水後、表出した堆積灰の乾燥により、地表面から粉じんが発生するため、従来は、粉じんの発生をスプリンクラーの散水等で抑制している。しかし、大規模なエリアを埋め立てる場合には、散水の範囲も大規模となり、施工が困難な状況が発生した。
【００５７】
これに対し、実施の形態では、上述した縁切りシート２１０を用い、この縁切りシート２１０の敷設までの間における粉じん発生を防止する方法について説明する。例えば、上述した実施の形態の仕切り方法（図２Ａ，図２Ｂ等参照）によれば、ホース１５０を用いてエリアを仕切ることで、大規模な埋立地１００をエリア毎に区切って一時利用可能な土地を確保できる。
【００５８】
図４は、実施の形態にかかる滞水エリアの粉じん防止を説明する図である。実施の形態では、図２Ａ（ｂ）に示したように、仕切ったエリアＡの滞水１０２ｂを排水した後、図４（ａ）に示すように、作業員によってエリアＡ内に粉じん防止剤４０１を散布する。粉じん防止剤４０１は、堆積灰１０２上を覆い、堆積灰１０２の飛散を防ぐ。この際、作業員の位置を確保するため、例えば、セメントを固化した作業通路（例えば、厚さ１ｍ、幅５ｍ）４１０を設けてもよい。
【００５９】
この後、図４（ｂ）に示すように、散布した粉じん防止剤４０１の上に上述した縁切りシート２１０を敷設する。なお、縁切りシート２１０は、エリアＡの排水後直ちに行うに限らず、土砂２２０を受け入れるまでに所定の期間（例えば、２〜３週間）が生じた場合には、土砂２２０を受け入れるまでの間、縁切りシート２１０を敷設しないこととしてもよい。例えば、長期天気予報等による降雨の期間は、縁切りシート２１０を敷設しなくてもよく、晴れの日は別途散水を行うこととしてもよい。また、念のため、エリアＡの滞水１０２ｂを排水できるように水中ポンプ２０５を設置したままの状態としておいてもよい。
【００６０】
このように、埋立地１００を複数のエリアＡ〜Ｆで仕切り、一つのエリアＡを単位として滞水１０２ｂの排出し、粉じん防止剤４０１を散布することにより、大規模な埋立地１００であっても粉じんの発生を抑えることができるようになる。実施の形態によれば、仕切ったエリア単位で粉じんの発生を防止でき、従来行っていた粉じん防止のために、大規模な埋立地１００全体に対する散水等の作業を不要にできる。また、粉じん防止剤４０１の散布後は縁切りシート２１０を敷設することで、同様に粉じんの発生を防止できる。また、実施の形態によれば、大規模な埋立地１００の全体に対し、縁切りシート２１０を効率的に敷設できるようになる。
【００６１】
また、上述したエリアＡに対する粉じん防止剤４０１の散布の説明では、エリアＡをホース１５０で仕切ることとしたが、ホース１５０以外でエリアＡを仕切っても同様に粉じんの発生を防止できる効果を得ることができる。例えば、エリアＡの仕切りを従来の築堤により行った場合であっても、エリアＡに対して粉じん防止剤４０１を散布することで、同様に粉じんの発生を防止できる効果を得ることができる。
【００６２】
図５は、実施の形態にかかる埋立地の埋め立ての手順を示すフローチャートである。主に、上述した「１．埋立地の堆積灰の仕切り方法」にかかる手順を示す。はじめに、灰処分場として利用している埋立地１００全体のエリアのうち、一時利用するエリア（例えばエリアＡ）を決めて、エリアＡの境界部分に沿ってホース１５０を設置することで、エリアＡを仕切る（ステップＳ５０１）。
【００６３】
次に、ホース１５０内部に水を充填させる等してホース１５０を膨張させた後、エリアＡ内の滞水１０２ｂをエリアＡの外部に排水する（ステップＳ５０２）。これにより、エリアＡでは、堆積灰１０２が表出し乾燥し始める。
【００６４】
ここで、上述した「３．エリア毎の縁切りシート敷設前の粉じん発生の防止方法」を実施する場合には、ステップＳ５０３の工程を実施する。ステップＳ５０３では、エリアＡ内に粉じん防止剤４０１を散布する（ステップＳ５０３）。これにより、エリアＡにおいて、縁切りシート２１０を敷設するまでの期間において乾燥した堆積灰１０２の飛散を防ぐことができる。
【００６５】
ステップＳ５０２、あるいはステップＳ５０３の実施後には、このエリアＡにおいて、堆積灰１０２上に縁切りシート２１０を敷設する（ステップＳ５０４）。この後、縁切りシート２１０上に土砂２２０を覆土する（ステップＳ５０５）。この状態で、埋立地１００を仕切ったエリアＡでは、堆積灰１０２上に縁切りシート２１０が挟まれる形で介在し、この縁切りシート２１０上に土砂２２０が堆積した状態となり、エリアＡを所定の用途の土地として一時利用できるようになる。
【００６６】
ステップＳ５０５の実施により、一つのエリアＡを一時利用できるようになる。この後、続けて一時利用するエリアを広げていく場合には、ステップＳ５０１以降の処理を繰り返して実施すればよい。
【００６７】
図６は、実施の形態にかかる埋立地の粉じん防止の手順を示すフローチャートである。上述した「２．滞水したエリアでの地盤改良方法」にかかる手順を示す。図６に示す手順は、埋立地１００の任意の場所で実施することができるが、ここでは、図５に示した埋立地１００をさらに複数のエリアに仕切った場合への適用例を説明する。
【００６８】
この場合、図５のステップＳ５０１に示した、ホース１５０により埋立地１００をエリアＡに仕切った後に、このエリアＡ内の所望箇所に仕切り枠３００を設置する（ステップＳ６０１）。この後、仕切り枠３００の内部に所定量の固化材を投入する（ステップＳ６０２）。投入量は、仕切り枠３００の面積に対応した適量を投入できる。
【００６９】
この後、仕切り枠３００内を攪拌機３３０ａ等で攪拌した後（ステップＳ６０３）、仕切り枠３００内の滞水１０２ｂを仕切り枠３００の外部にポンプ等で排水する（ステップＳ６０４）。これにより、仕切り枠３００を設置した範囲の地盤改良を行うことができる。
【００７０】
この後、仕切り枠３００の内部に所定量の粉じん防止剤４０１を散布する（ステップＳ６０５）。これにより、仕切り枠３００を接地した範囲の堆積灰１０２の飛散による粉じんの発生を防ぐことができる。この後、図５に示したステップＳ５０２の処理を実施すればよい。
【００７１】
なお、ステップＳ６０５において、仕切り枠３００の単位で粉じん防止剤を散布した場合、ステップＳ５０３でのエリアＡに対する粉じん防止剤の散布を省略することができる。
【００７２】
以上説明した実施の形態によれば、埋立地を仕切ったエリアの境界部分に沿って中空弾性体としてのホースを設置し、ホースの内部に水等を充填させて膨張させ、エリア内の滞水をエリアの外部に排水する工程を実施する。これにより、仕切ったエリアの土地を効率的に造成できるようになる。また、仕切ったエリア毎に滞水を排水するため、排水後のエリアは埋立地全体のうち一部のエリアのみとなるため、堆積灰が粉じんとして飛散することをできるだけ抑えることができるようになる。排水する工程の後、エリアに土砂を覆土することで、粉じんの飛散を防ぐことができるが、実施の形態によれば、少なくとも仕切ったエリアに対してのみ必要時に散水すればよく、大規模な埋立地全体に対する散水等の作業を不要にできる。また、中空弾性体として汎用の低コストなホースを用いることができる。また、ホースは、中空であり軽量であるため、設置および移動を容易に行うことができる。この点、従来手法による重機を用いた築堤に比べてはるかに容易に取り扱うことができ、埋め立てにかかる作業を効率的に行えるようになる。
【００７３】
また、排水する工程の後、前記エリアに土砂を覆土して仕切ったエリアを最終埋め立て地として所定の用途に用いることができる。堆積灰の上を覆土することで、堆積灰の飛散による粉じんの発生を抑えることができる。
【００７４】
また、排水する工程の後、ホースの内部の水を排出させてホースを収縮させ、ホースを移動させて次に仕切るエリアの境界部分に沿って設置し、ホースの内部に水等を充填させて膨張させ、エリア内の滞水をエリアの外部に排水する、工程を繰り返してもよい。これにより、広大な埋立地を仕切ったエリアごとに順次使用可能な土地として効率的に造成できるようになる。また、仕切ったエリア毎に滞水を排水するため、排水後のエリアは埋立地全体の一部のエリアのみとなるため、埋立地全体の滞水を排水した場合に比べて堆積灰が粉じんとして飛散することをできるだけ抑えることができるようになる。
【００７５】
また、ホースに充填する媒体として水、滞水、あるいは空気等の気体を任意に利用できる。滞水であればエリア内の滞水を利用できる。
【００７６】
また、排水する工程の後、仕切ったエリアに柔軟性を有する樹脂製の縁切りシートを敷設し、縁切りシートの上に土砂を覆土して一時利用の土地を作る、工程を実施してもよい。これにより、仕切ったエリアの地中には縁切りシートが介在された状態となり、資材置き場等の一時利用の用途の土地を造成できる。なお、縁切りシートは、堆積灰と覆土との間に設置されており、覆土の土砂が堆積灰と混じることがなく、産業廃棄物とならずに再利用することができる。
【産業上の利用可能性】
【００７７】
以上のように、本発明は、灰処分場を埋め立てる技術に適用することができ、特に広大な埋立地の一部を土地利用するための技術に有用である。
【符号の説明】
【００７８】
１００  埋立地（灰処分場）
１０２  堆積灰
１０２ａ  スラリー灰
１０２ｂ  滞水
１５０  ホース
２０５  水中ポンプ
２０７  固定具
２１０  縁切りシート
２２０  土砂（覆土）
２３０  重機
３００  仕切り枠
３３０ａ  攪拌機
４０１  粉じん防止剤
Ａ〜Ｆ  エリア
【図１】
2020105743.tif 000003
【図２Ａ】
2020105743.tif 000004
【図２Ｂ】
2020105743.tif 000005
【図３】
2020105743.tif 000006
【図４】
2020105743.tif 000007
【図５】
2020105743.tif 000008
【図６】
2020105743.tif 000009